【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
水処理システムにおいて、
汚染物質を含む未処理水を受け取る取水口と処理済水を流出させる排水口とを有する容器と、
前記容器内部でシールされることのできる処理組立体であって、
前記処理組立体が濾材を含み、
前記処理組立体が、前記未処理水を前記容器取水口から受け取り、前記濾材を用いて水を処理して汚染物質を除去し、かつ処理済水を前記容器排水口に案内することができ、
前記処理組立体が第一端部を有し、
第一エンドキャップが前記第一端部に取り付けられ、
前記第一エンドキャップが周囲縁部と前記周囲縁部に位置する周囲シールとを含み、
前記周囲シールが前記容器に対してシールする、
処理組立体と、
を備える、
水処理システム。
【請求項２】
前記第一エンドキャップが、第一材料から形成される中央部を含み、
周囲シール部が、前記中央部の周囲の周りで延びる前記周囲シールを含み、
前記周囲シール部が、前記第一材料よりも柔軟な第二材料から形成される、
請求項１に記載の水処理システム。
【請求項３】
前記第一エンドキャップが、可撓性エラストマ材料から全体的に形成されている、
請求項１に記載の水処理システム。
【請求項４】
前記中央部及び前記周囲シール部が相互に同時成形される、
請求項３に記載の水処理システム。
【請求項５】
前記周囲シールは、前記周囲縁部を被包するように、全体的にＣ字型の断面を含む、
請求項１に記載の水処理システム。
【請求項６】
前記Ｃ字型の断面は内縁を含み、
前記内縁は前記第一エンドキャップから外向きに拡がっている、
請求項５に記載の水処理システム。
【請求項７】
第一流路及び第二流路を有する土台部を含み、
前記処理組立体が、前記容器取水口と流体が流れるようにされた前記第一流路と前記容器排水口と流体が流れるようにされた前記第二流路とを有する前記土台部に移動可能であるように取り付けられている、
請求項１に記載の水処理システム。
【請求項８】
前記容器に接続されたプレートであって、
前記プレートが、複数の電気接続部と、前記プレートに沿って離間された複数の取付け機構とを含む、
プレートと、
各々が前記プレートと電気的に連通するように、前記プレートに取り外し可能に取り付けられた複数のエレクトロニクスブリックであって、
各前記エレクトロニクスブリックが、各前記エレクトロニクスブリックを前記プレート上の前記取付け機構に交換可能に接続できるように、前記取付け機構に対応する少なくとも１つの標準的な寸法を有する、
エレクトロニクスブリックと、
を含む、
請求項１に記載の水処理システム。
【請求項９】
前記濾材が内部開口を画定し、
殺菌組立体が前記内部開口内部に位置決めされる、
請求項１に記載の水処理システム。
【請求項１０】
前記第一エンドキャップは、上面と前記上面に枢動するように取付けられたハンドルとを含む、
請求項１に記載の水処理システム。
【請求項１１】
前記処理組立体は、前記第一端部に対向する第二端部と、前記第二端部に嵌合された第二エンドキャップとを有する、
請求項１に記載の水処理システム。
【請求項１２】
水処理システムの濾過組立体であって、
第一端部と前記第一端部に対向する第二端部とを有する濾材と、
前記第一端部に取付けられる上キャップであって、
前記上キャップが、周囲縁部と前記周囲縁部の周囲で延びる周囲シールとを含み、
前記周囲シールが、前記上キャップと容器との間にシールされたインターフェイスを、前記濾過組立体が前記容器に挿入されたときに提供するように構成されている、
上キャップと、
を備える、
水処理システムの濾過組立体。
【請求項１３】
前記上キャップは、第一材料から形成された中央部と、前記中央部の周囲の周りで延びる前記周囲シールを含む周囲シール部とを含み、
前記周囲シール部は、前記第一材料よりも柔軟な第二材料から形成される、
請求項１２に記載の水処理システムの濾過組立体。
【請求項１４】
前記中央部及び前記周囲シール部が相互に同時成形される、
請求項１３に記載の水処理システムの濾過組立体。
【請求項１５】
前記周囲シールを含む前記上キャップは、可撓性エラストマ材料の単一部品から形成される、
請求項１２に記載の水処理システムの濾過組立体。
【請求項１６】
前記周囲シールは、前記周囲縁部を被包するように、全体的にＣ字型の断面を含む、
請求項１２に記載の水処理システムの濾過組立体。
【請求項１７】
前記Ｃ字型の断面は内縁を含み、
前記内縁は前記第一エンドキャップから外向きに拡がっている、
請求項１６に記載の水処理システムの濾過組立体。
【請求項１８】
水処理システムであって、
第一流路と第二流路とを画定する土台部と、
前記土台部に取り外し可能に取付けられた容器であって、
前記容器が、前記第一流路と流体が流れるようにされた取水口と、前記第二流路と流体が流れるようにされた排水口と、を有し、
前記容器が、開口を画定し、かつ前記開口を被覆することができる取り外し可能な水外被カバーを含み、
前記水外被カバーが前記容器取水口と前記容器排水口とを含み、
前記水外被カバーが、第一位置と第二位置との間で移動可能な蝶番式ハンドルを含み、
前記ハンドルが、前記水外被カバーを前記容器に固定することができる少なくとも１つのラッチに取付けられ、
前記第一位置と前記第二位置との間における前記ハンドルの移動が、前記カバーが前記容器に固定される閉鎖位置と前記カバーが前記容器から取外し可能な開放位置との間で前記ラッチを移動させる、
容器と、
前記容器内部に位置する処理組立体であって、
前記処理組立体が、水を前記容器取水口から受け取り、水を処理して汚染物質を除去し、かつ処理済水を前記容器排水口に案内することができる、
処理組立体と、
を備える、
水処理システム。
【請求項１９】
前記ハンドルが、前記水外被カバーを前記容器に固定することができる少なくとも１つのラッチに取付けられたカムを含み、
前記カムは、前記カバーが前記容器に固定される前記閉鎖位置と前記カバーが前記容器から取外し可能な前記開放位置との間で前記ラッチを移動させることができ、
前記第一位置から前記第二位置への前記ハンドルの移動が、前記カムを移動させ、それにより前記ラッチを前記閉鎖位置から前記開放位置に移動させる、
請求項１８に記載の水処理システム。
【請求項２０】
前記容器が前記開口に隣接する陥凹部を含み、
前記水外被カバーが１対の前記ラッチを含み、
前記閉鎖位置にあるときに、前記ラッチが前記陥凹部内部に延び、前記ラッチが各々摺動部によって前記カムに接続され、
前記第一位置から前記第二位置への前記ハンドルの移動が、前記カムを回転させて、前記摺動部を移動させて、それにより前記ラッチを前記開放位置へ移動させる、
請求項１８に記載の水処理システム。
【請求項２１】
前記ハンドルが前記第一位置から少なくとも９０度回転されるまで前記ラッチが移動しない、
請求項２０に記載の水処理システム。
【請求項２２】
前記処理組立体が前記容器内部でありかつ前記水外被カバーの下に配置された少なくとも１つのフィルタ組立体を含み、
前記フィルタ組立体が、第一端と第二端とを有する濾材と１対のエンドキャップとを含み、前記第一端及び第二端の各々に前記エンドキャップのうちの１つが位置し、
前記第一エンドキャップが、前記水外被カバーに対してシールするシール部を含む、
請求項２１に記載の水処理システム。
【請求項２３】
前記取水口へ流入する水が前記濾材を通過して前記容器排水口を通って前記容器から流出するように、前記シール部が前記容器取水口と前記容器排水口との間で前記水外被カバーと係合する、
請求項２２に記載の水処理システム。
【請求項２４】
前記処理組立体が少なくとも１つの殺菌組立体を含み、
前記水外被カバーが前記容器に取り付けられるときに前記殺菌組立体が前記容器内に配置されるように、前記殺菌組立体が前記水外被カバーに取り付けられる、
請求項２３に記載の水処理システム。
【請求項２５】
前記濾材が内部開口を画定し、
前記殺菌組立体が前記内部開口内部に位置決めされる、
請求項２４に記載の水処理システム。
【請求項２６】
前記殺菌組立体がＵＶ電球を含む、
請求項２５に記載の水処理システム。
【請求項２７】
前記土台部が取付け部と水ルータとを含み、
前記水ルータが、前記水ルータ内部に前記第一流路と、前記水ルータ内部に前記第二流路とを画定し、
前記水ルータが、前記水ルータが前記容器と係合し、かつ前記第一流路が前記容器取水口と連通すると共に前記第二流路が前記容器排水口と連通する第一位置と、前記水ルータが前記容器から係合解除され、かつ前記第一流路及び第二流路が前記容器取水口及び前記容器排水口と流体が流れるようになっておらず前記土台部からの前記容器の取外しを可能にする第二位置との間で移動可能であるように、前記水ルータが前記取付け部に蝶番式に接続される、
請求項１８に記載の水処理システム。
【請求項２８】
前記エレクトロニクストレイが開放位置と閉鎖位置との間で枢動することができるように、前記土台部が前記取付け部に蝶番式に接続されたエレクトロニクストレイを含む、
請求項２７に記載の水処理システム。
【請求項２９】
前記エレクトロニクストレイが、前記容器内部に位置決めされた殺菌組立体に誘導的に電力を供給する一次コイルを含む、
請求項２８に記載の水処理システム。
【請求項３０】
水処理システムにおいて、
取付け部と前記取付け部に接続された水ルータとを有する土台部であって、
前記取付け部が第一及び第二流路を画定し、
前記水ルータが第一及び第二内部溝を画定し、
前記第一及び第二溝の各々が注ぎ口を有し、
前記第一流路が前記第一溝と流体が流れるようにされており、
前記第二流路が前記第二溝と流体が流れるようにされており、
前記水ルータが、第一位置と第二位置との間で前記取付け部に対して移動できる、
土台部と、
カバーを有する容器であって、
前記カバーが取水口ポートと排水口ポートとを有し、
前記第一流路の注ぎ口が前記取水口ポートと係合すると共に前記第二流路の注ぎ口が前記排水口ポートと係合するように、前記容器が前記土台部の上に位置決めされ、
前記第一及び第二溝の注ぎ口を前記取水口ポート及び排水口ポートとの係合から取り外して前記容器を前記土台部から取り外すことができるようにするために、前記水ルータが前記取付け部に対して移動可能である、
容器と、
前記容器内部に配置された濾材及び殺菌装置の少なくとも一方を含む処理組立体と、
を備える、
水処理システム。
【請求項３１】
水処理システムにおいて、
処理組立体を収容する容器であって、
前記処理組立体が水濾過媒体及び水殺菌組立体の少なくとも一方を含む、
容器と、
前記容器に接続されたプレートであって、
前記プレートが、複数の電気接続部と、前記プレートに沿って離間された複数の取付け機構とを含む、
プレートと、
各々が前記プレートと電気的に連通するように、前記プレートに取外し可能に取り付けられた複数のエレクトロニクスブリックであって、
各前記エレクトロニクスブリックが、各前記エレクトロニクスブリックを前記プレート上の前記取付け機構に対して交換可能に接続することができるように、前記取付け機構に対応する少なくとも１つの標準的な寸法を有する、
複数のエレクトロニクスブリックと、
を備える、
水処理システム。
【請求項３２】
前記プレートが、複数の前記エレクトロニクスブリックをスナップ嵌めするように構成され、
各前記エレクトロニクスブリックが、前記プレート上の前記複数の電気接続部のうちの少なくとも１つに電気的に接続されるように前記プレートにスナップ嵌めする、
請求項３１に記載の水処理システム。
【請求項３３】
前記エレクトロニクスブリックのうちの１つが、前記処理組立体の特性を表示する可視ディスプレイを含む、
請求項３２に記載の水処理システム。
【請求項３４】
前記複数のエレクトロニクスブリックのそれぞれを、前記プレートに沿った様々な位置で前記取付け機構に交換可能に接続することができる、
請求項３２に記載の水処理システム。
【請求項３５】
第一の前記エレクトロニクスブリック及び第二の前記エレクトロニクスブリックが、前記プレートに沿って離間され、
前記第一及び第二のエレクトロニクスブリックが各々、幅及び高さを有し、
前記第一エレクトロニクスブリックと前記第二エレクトロニクスブリックの前記幅が同じであると共に前記第一エレクトロニクスブリックと前記第二エレクトロニクスブリックの前記高さが互いに異なる、
請求項３４に記載の水処理システム。
【請求項３６】
前記処理組立体が、
前記処理組立体内部の水の少なくとも１つの特性を測定するセンサと、
前記センサに接続された情報チップと、
を含み、
前記エレクトロニクスブリックのうちの１つが、前記処理組立体の前記情報チップと通信する或る情報チップを含む、
請求項３５に記載の水処理システム。
【請求項３７】
前記容器が、開口を画定する上縁と、前記開口に対向する床部と、前記システムへの未処理供給水を受け取る取水口と、前記システムから処理済水を分注する排水口とを含み、
前記取水口及び前記排水口が前記床部に隣接して配置される、
請求項３１に記載の水処理システム。
【請求項３８】
前記取水口及び排水口が、単一の一体部品として前記容器と一体的に形成される、
請求項３７に記載の水処理システム。
【請求項３９】
前記開口を被覆することができる水外被カバーを含み、
前記水外被カバーが、前記取水口及び前記処理組立体と流体が流れるようになっている第一流路と、前記排水口及び前記処理組立体と流体が流れるようになっている第二流路とを画定する、
請求項３８に記載の水処理システム。
【請求項４０】
前記処理組立体が殺菌組立体を含み、
前記水外被カバーが前記殺菌組立体への取り付けのための中央開口を画定する、
請求項３９に記載の水処理システム。
【請求項４１】
前記処理組立体が濾材を含み、
前記濾材が前記殺菌組立体を受け取る内部開口を含む、
請求項４０に記載の水処理システム。
【請求項４２】
前記濾材が第一端を有し、
前記第一端の上に第一エンドキャップが嵌合され、
前記第一エンドキャップが前記容器に対してシールする周囲シールを含む、
請求項４１に記載の水処理システム。
【請求項４３】
前記第一エンドキャップが、第一材料から形成された中央部と前記中央部の周囲の周りに延びる周囲シール部とを含み、
前記周囲シール部が前記第一材料よりも柔軟な第二材料から形成される、
請求項４２に記載の水処理システム。
【請求項４４】
水処理システムにおいて、
開口を画定する上縁と、
床部と、
前記上縁と前記床部との間に延びる側壁と、
前記側壁に画定された第一流路と、
前記第一流路から離れて前記側壁に画定される第二流路と、
を有する容器であって、
前記流路が前記容器と一体的に形成される、
容器と、
前記容器内部に配置された濾材及び殺菌装置の少なくとも一方を含む処理組立体と、
を備える、
水処理システム。
【請求項４５】
水処理システムにおいて、
開口を形成する頂縁と、床部と、前記頂縁から前記床部まで延びる側壁とを有する容器と、
前記容器内に配置されたバッフルであって、
該バッフルが前記側壁から離間される、
バッフルと、
前記容器内部のフィルタブロックであって、
該フィルタブロックが、濾材と、前記濾材の頂表面の上エンドキャップと、前記濾材の底表面の下エンドキャップとを含み、
前記上及び下エンドキャップの一方が前記バッフルに対してシールし、前記上及び下エンドキャップの他方が、前記側壁に対してシールして、前記開口を通過して前記容器へ流入する水を、前記上エンドキャップを横切って各濾材を通過するように方向付ける、
フィルタブロックと、
前記上エンドキャップ及び前記下エンドキャップの一方を隣接する前記フィルタブロックから離間させる、前記上エンドキャップ及び前記下エンドキャップの前記一方に隣接するスペーサであって、それにより、前記フィルタブロックの前記上エンドキャップ及び前記下エンドキャップの前記一方と、前記隣接するフィルタブロックの前記上エンドキャップ及び前記下エンドキャップの他方との間における水の流れを可能にする、スペーサと、
を備える、
水処理システム。
【請求項４６】
前記容器が前記開口を被覆する水外被カバーを含み、
前記水外被カバーが、供給水を受け取る取水口ポートと前記容器内部に延びる排水口ポートとを含む第一流路を画定し、
前記水外被カバーが、前記容器内部に延びる取水口ポートと処理済水を分注するための前記容器外側の排水口ポートとを含む第二流路を画定する、
請求項４５に記載の水処理システム。
【請求項４７】
前記第一流路排水口が、前記バッフルと前記側壁との間に位置決めされて、前記積み重ねられたフィルタブロックのうちの１つの前記上エンドキャップ上に水を方向付け、
前記第二流路取水口が、前記バッフル内部に位置決めされて、前記バッフルを通過して流れる水を受け取る、
請求項４６に記載の水処理システム。
【請求項４８】
前記バッフルが中空であると共に前記床部に対面する第一開口を含み、
水が前記フィルタブロックを通過した後に前記第一開口を通過して流れるように、前記第一開口が、前記積み重ねられたフィルタブロックのうちの１つの下エンドキャップと流体が流れるようになっている、
請求項４７に記載の水処理システム。
【請求項４９】
前記中空バッフル内部に殺菌組立体を含む、
請求項４８に記載の水処理システム。
【請求項５０】
前記殺菌組立体が前記水経路設定外被に取り付けられる、
請求項４９に記載の水処理システム。
【請求項５１】
前記殺菌組立体がＵＶ電球を含むＵＶリアクタである、
請求項５０に記載の水処理システム。
【請求項５２】
前記バッフルが突起体及び切欠きの少なくとも一方を含み、かつ前記フィルタブロックが前記突起体及び前記切欠きの他方を含み、
前記突起体が、前記切欠きと嵌合して、前記フィルタブロックを前記バッフルに整列させる、
請求項５１に記載の水処理システム。
【請求項５３】
前記バッフルが前記バッフルから延びるクリップを含んで、前記フィルタブロックを前記容器から容易に取り外せるように前記フィルタブロックを前記バッフル上に保持する、
請求項４５に記載の水処理システム。
【請求項５４】
前記水外被カバーが、前記水外被カバーに対して枢動するハンドルと、圧縮リングと、シールプレートとを含み、
前記ハンドルの枢動によって、前記プレートが前記カバーの方向へ引っ張られて、前記シールプレートと前記カバーとの間で前記圧縮リングを圧縮し、
前記圧縮リングが外向きに拡張して、前記容器の前記側壁と係合する、
請求項４５に記載の水処理システム。
【請求項５５】
水処理システムにおいて、
容器であって、供給取水口と、処理済水排水口と、前記容器内部に延びるバッフルとを有する容器と、
前記容器内部に積重ねられて位置決めされた複数のフィルタブロックであって、
各前記フィルタブロックが濾材と、頂表面と、底表面とを有し、
各フィルタブロックの前記頂表面及び前記底表面が相互にオフセットして、前記頂表面が前記バッフル及び前記容器の一方に対してシールし、前記底表面が前記バッフル及び前記容器の他方に対してシールし、それにより、前記フィルタブロックが、前記供給取水口から各前記フィルタブロックの前記濾材を通過して、それぞれの隣接する前記フィルタブロックの前記頂表面及び前記底表面の間において前記排水口まで延びる流体流路を形成する、
フィルタブロックと、
を備える、
水処理システム。
【請求項５６】
水処理システムにおいて、
第一流路及び第二流路を画定しかつエレクトロニクスディスプレイを含む第一部分と、
前記第一部分に取外し可能に取り付けられた第二部分であって、
該第二部分が、前記第一流路と流体が流れるようになっている取水口と前記第二流路と流体が流れるようになっている排水口とを有する容器を含む、
第二部分と、
前記容器内部の処理組立体であって、
該処理組立体が、前記容器取水口から水を受け取り、前記水を処理して汚染物質を除去し、かつ前記処理済水を前記容器排水口へ案内することができる、
処理組立体と、
を備える、
水処理システム。
【請求項５７】
前記第一流路を通過して流れる水の特性を測定するために前記第一流路に沿って前記第一部分に位置決めされた第一センサと、前記第二流路を通過して流れる水の特性を測定するために前記第二流路に沿って前記第二部分に位置決めされた第二センサとを含む、
請求項５６に記載の水処理システム。
【請求項５８】
前記第一流路に沿って位置決めされた遮断弁を含み、
前記容器内部に水が流入するのを阻止するために前記遮断弁を閉鎖することができる、
請求項５６に記載の水処理システム。
【請求項５９】
前記遮断弁がスイッチに接続され、
前記スイッチが、前記第二部分が前記第一部分から取り外されると前記弁を閉鎖するように作動する、
請求項５８に記載の水処理システム。
【請求項６０】
前記第二流路に沿って位置決めされたポンプを含み、
前記ポンプが水を前記排水口から汲み出すために作動可能である、
請求項５６に記載の水処理システム。
【請求項６１】
二次処理組立体を含み、
前記二次処理組立体が前記取水口及び前記排水口の少なくとも一方に接続される、
請求項５６に記載の水処理システム。
【請求項６２】
前記二次処理組立体が前記取水口に接続され、
前記二次処理組立体が、前記取水口を通過して流れる水から汚染物質を除去することができる濾材を含む、
請求項６１に記載の水処理システム。
【請求項６３】
前記二次処理組立体が前記排水口に接続され、
前記二次処理組立体が、水に希望の成分を付加することによって前記排水口から流出する水を処理することができる、
請求項６２に記載の水処理システム。